(57)【特許請求の範囲】
【請求項１】
躯体開口部に取り付けられるシャッターケースの左右ブラケットに支持される巻取りドラムと、該巻取りドラムに巻装されるシャッターカーテンと、該シャッターカーテンの開閉ガイドをするガイドレールとを備えて構成される建築用シャッター装置において、前記シャッターケースは、左右ブラケットが躯体の屋外側端部と略面一状になる状態で取り付けられ、屋外側端が開口した鋼製のケース本体と、該ケース本体の屋外側端よりも屋外側に突出する状態で覆蓋するカバーユニットとにより構成されるものであり、該カバーユニットは、ケース本体の屋外側端を覆蓋する鋼製のカバー本体と、該カバー本体の左右両端部を覆蓋する樹脂製のサイドカバーと、カバー本体の左右両端部に取り付けられる鋼製の防火用側板とから構成されていることを特徴とする建築用シャッター装置。
【請求項２】
防火用側板の正面板、上面板、下面板と、カバー体の正面板、上面板、下面板との対向間に加熱膨張材をそれぞれ設けたことを特徴とする請求項１記載の建築用シャッター装置。
【請求項３】
加熱膨張材は、防火用側板に設けられていることを特徴とする請求項２記載の建築用シャッター装置。
【発明の詳細な説明】
【技術分野】
【０００１】
本発明は、防火性を備えた建築用シャッター装置の技術分野に関するものである。
【背景技術】
【０００２】
一般に、この種建築用のシャッター装置のなかには、窓等の開口部の枠材（例えばサッシ枠）に建て付けられるものがあり、このようなシャッター装置において、シャッターカーテンをシャッターケースの左右ブラケットに支持された巻取りドラムに巻取った場合、該巻取られたシャッターカーテンが枠材よりも屋外側に突出するものがある。このようなものにおいては、左右ブラケットが枠材から左右ブラケットが屋外側に突出したものとし、屋外側面部（正面部）をカバー本体で覆蓋するようにしているが、枠材から突出するブラケット部位は、このままでは外観が損なわれ、そこで左右ブラケットの枠材から突出する部位を樹脂製のサイドカバーで覆蓋するようにしたものが提唱されている（例えば特許文献１参照）。
【先行技術文献】
【特許文献】
【０００３】
【特許文献１】特開２０１４−１６３１７８号公報
【発明の概要】
【発明が解決しようとする課題】
【０００４】
しかしながら前記従来のものは、左右ブラケットの屋外側部位が枠材から大きくはみ出しているため、例えば、工場で躯体にシャッターケースを組込んだものを予め作成し、これを現場に搬送した後、正面をカバー本体で覆蓋すると共に、カバー本体の左右両側部をサイドカバーで覆蓋するだけでよいようにして現場でのシャッター装置の組み立てを簡略化できるようにしたものである場合、ブラケットが躯体から大きくはみ出し搬送の際に邪魔になるという問題がある。
そこでブラケットを、躯体の屋外側端と略面一状にしたものとして搬送の邪魔にならないようにすることが提唱される。ところがこのようにした場合、サイドカバー部分に左右ブラケットが躯体からはみ出す部材に相当するものがないため、どうしても強度的に弱いうえ、防火性も損なわれるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、躯体開口部に取り付けられるシャッターケースの左右ブラケットに支持される巻取りドラムと、該巻取りドラムに巻装されるシャッターカーテンと、該シャッターカーテンの開閉ガイドをするガイドレールとを備えて構成される建築用シャッター装置において、前記シャッターケースは、左右ブラケットが躯体の屋外側端部と略面一状になる状態で取り付けられ、屋外側端が開口した鋼製のケース本体と、該ケース本体の屋外側端よりも屋外側に突出する状態で覆蓋するカバーユニットとにより構成されるものであり、該カバーユニットは、ケース本体の屋外側端を覆蓋する鋼製のカバー本体と、該カバー本体の左右両端部を覆蓋する樹脂製のサイドカバーと、カバー本体の左右両端部に取り付けられる鋼製の防火用側板とから構成されていることを特徴とする建築用シャッター装置である。
請求項２の発明は、防火用側板の正面板、上面板、下面板と、カバー体の正面板、上面板、下面板との対向間に加熱膨張材をそれぞれ設けたことを特徴とする請求項１記載の建築用シャッター装置である。
請求項３の発明は、加熱膨張材は、防火用側板に設けられていることを特徴とする請求項２記載の建築用シャッター装置である。
【発明の効果】
【０００６】
請求項１の発明とすることにより、枠材に取り付けられるケース本体は、左右ブラケットが躯体の屋外側端と略面一状になって搬送の邪魔にならないようにしたものでありながら、現場で取り付けられるケースユニットは、ケース本体の屋外側部位をカバー本体が躯体から屋外側に突出する状態で覆蓋し、その左右両側部をサイドカバーで覆蓋することになるがカバー本体の左右両側部に鋼製の防火用側板が設けられることとなって強度的に優れ、防火性能も向上したものとなる。
請求項２の発明とすることにより、火災が発生した場合、防火性側板とケース本体及び枠材とのあいだの隙間が加熱膨張材により塞がれて防火性の優れたものとなる。
請求項３の発明とすることにより、加熱膨張材が防火用側板に集中して取付けられるため、加熱膨張材の取り付け作業が簡略化され、作業性が向上する。
【図面の簡単な説明】
【０００７】
【図１】窓シャッター装置の正面図である。
【図２】窓シャッター装置の分解斜視図である。
【図３】窓シャッター装置の縦断面側面図である。
【図４】シャッターケース部位の拡大縦断面側面図である。
【図５】シャッターケース部位の拡大平面図である。
【図６】ケースユニットの要部正面図である。
【図７】ケースユニットの要部背面図である。
【図８】ケースユニットの要部側面図である。
【図９】ケースユニットの要部下面図である。
【図１０】（Ａ）〜（Ｅ）は防火用側板の正面図、側面図、背面図、平面図、底面図である。
【図１１】（Ａ）〜（Ｅ）は第二の実施の形態の防火用側板の正面図、側面図、背面図、平面図、底面図である。
【図１２】第三の実施の形態のケースユニット部位の拡大平面図である。
【図１３】第四の実施の形態のケースユニット部位の拡大平面図である。
【発明を実施するための形態】
【０００８】
以下、本発明の実施の形態について、図面に基づいて説明する。図面において、１は窓等の開口部に取り付けられる建築用のシャッター装置のシャッターカーテンであって、該シャッターカーテン１は、躯体Ｘとサッシ枠２に建て付けられたシャッターケース３の左右ブラケット４ａに支持された巻き取りドラム５に巻装され、開口部の左右に設けたガイドレール６に昇降案内されて開口部の開閉をするようになっていること等は何れも従来通りである。因みに本実施の形態ではシャッターカーテン１の開閉作動は手動式となっているが、電動式であっても良いことは勿論である。
【０００９】
前記シャッターケース３は、ケース本体４とカバーユニット７とにより構成されるが、ケース本体４は、躯体Ｘ側に納まるよう取付けられ、前記ブラケット４ａが左右に設けられているがブラケット４ａの屋外側端は躯体の屋外側端に対して略面一状になっていて大きなはみ出しがない（全くはみ出さないものが好ましいが、搬送の邪魔にならない範囲で若干はみ出したものとしてよい。）ように設定されている。またカバーユニット７は、躯体Ｘに対して屋外側に突出する状態でケース本体４の正面（屋外側）開口を覆蓋するカバー本体８と、該カバー本体８の左右両側面を覆うサイドカバー９とにより構成され、ケース本体４およびカバー本体８は鋼材（スチール）からなり、ケース本体４は、躯体Ｘ側に取り付けられた場合に、前記左右ブラケット４ａの屋外側端縁がサッシ枠２の屋外側面に対して略面一状となるよう設定されている。
因みに、ガイドレール６もサッシ枠２から屋外側に突出しない設定になっているが、搬送の邪魔にならない範囲で屋外側に突出していてもよい。一方、シャッターカーテン１は、巻取りドラム５に巻取った状態ではサッシ枠２よりも屋外側に突出することになって搬送の際に邪魔になり、そのためシャッターカーテン１を、搬送時にはガイドレール６におろした閉鎖（または半開）状態にしてサッシ枠２から屋外側にはみ出さないようにしている。
さらにサッシ枠上枠２ａの屋外側部位には、後述する係止溝２ｂが形成され、該係止溝２ｂの開口部上端からは係止片２ｃが垂設されているが、該係止片２ｃの下端部は屋内側に向けて僅かに突出している。
【００１０】
またカバーユニット７は、ケース本体４から屋外側（正面）に突出する部位を覆蓋する鋼材からなるカバー本体８と、カバー本体８の突出部位の左右両端部を覆蓋する樹脂材からなるサイドカバー９と、カバー本体８の左右両端部に設けられる鋼材からなる防火用側板１０とを備えて構成されている。
カバー本体８は、正面板８ａと、該正面板８ａの上端縁から屋内側に向けて折曲された上面板８ｂと、正面板８ａの下端縁から屋内側に折曲された下面板８ｃとから構成されていて、ケース本体４に対して屋外側に突出する状態で正面部位を覆蓋するように設定されている。そしてケース本体上面板８ｂの屋内側端部からは上方屋外側に向けて傾斜するよう係止片８ｄが折曲形成され、ケースユニット７を、図３の仮想線で示すように、下側が屋外側に偏倚した傾斜姿勢で係止片８ｄをサッシ枠２の上枠２ａに形成の係止溝２ｂに嵌入した後、縦姿勢にすると、サッシ枠係止片２ｃに対しカバー本体係止片８ｄが屋内側（係止溝２ｂ内）から押圧状に当接すると共に、カバー本体上面板８ｂの屋内側端部が係止溝２ｂの下側片２ｅに上側から当接するようになっており、これによってカバーユニット７は、サッシ枠上枠２ａから脱落しない状態で仮保持できるようになっている。
さらにカバー本体８には左右方向に長い凹溝８ｅ、８ｆが上下一対設けられているが、上側凹溝８ｅの屋内側面には、サッシ枠縦枠２ｄの屋外側面にビス１１ａを介して基端部１１ｂが固定された上側取付け金具１１の先端部１１ｃが突き当てられ、屋外側から螺入したビス１１ｄを介して固定することでカバーユニット７の上部側がサッシ枠２に取り付けられるようになっている。
【００１１】
サイドカバー９は、カバー本体８の左右両端部を外嵌するべく正面部９ａ、上面部９ｂ、下面部９ｃ、側面部９ｄを備えて構成されるが、正面部９ａの屋内側面には、前記カバー本体凹溝８ｅ、８ｆに嵌入する取付け突部９ｅが設けられている。
【００１２】
防火用側板１０は、カバー本体正面板凹溝８ｅ、８ｆの屋内側面に突き当てられる正面板１０ａと、該正面板１０ａの左右方向外端縁から屋内側に向けて折曲された側面板１０ｂと、該側面板１０ｂの上端縁から左右方向内方に向けて折曲された上面板１０ｄと、側面板１０ｂの下端縁屋外側半部から左右方向内方に向けて折曲された屋外側下面板１０ｅと、該屋外側下面板１０ｅよりも下方に至る状態で側面板１０ｂの下端縁屋内側半部より左右方向外方に向けて折曲された屋内側下面板１０ｆとにより構成されているが、正面板１０ａが、カバー本体正面板凹溝８ｅ、８ｆの屋内側面に当接するようになっている。そして屋内側から螺入したビス１０ｇがカバー本体正面板凹溝８ｅ、８ｆを貫通してサイドカバー取付け突部９ｅに螺入することでカバー本体８、サイドカバー９、防火用側板１０の一体化が図れるようになっている。さらに本実施の形態では、ビス１０ｇの左右方向外方位置において防火用側板正面板１０ａとカバー本体正面板凹溝８ｅ、８ｆとはリベット１０ｈによって固定されていて強固な一体化が図られている。
【００１３】
またカバー本体下面板８ｃは、リベット１２ａにより屋内側が開口したＣ型枠材１２の下端片に固定されているが、該Ｃ型枠材１２の上端片には、耐風材１３がリベット１３ａにより固定されているが、Ｃ型枠材１３の上端片の左右両端部に前記防火用側板屋外側下面板１０ｅが近接対向するようになっている。尚、耐風材１３は必要において設けられるものであり、耐風材１３がないものであっても勿論よい。
【００１４】
さらに１４は下側取付け金具であって、該下側取付け金具１４は基端部がビス１４ａによりサッシ枠縦枠２ｄに固定されるが、先端部は防火用側板屋内側下面板１０ｆに上側から当接し、ビス１４ｂを下側から螺入することで、サイドカバー下面部９ｃ、防火用側板屋内側下面板１０ｆを下側取付金具１４に固定できるようになっている。
【００１５】
前記防火用側板１０には、火災等の熱を受けることで膨張して隙間を塞いで防火性を発揮するための加熱膨張材１５が設けられるが、該加熱膨張材１５は、正面板１０ａのカバー本体正面板８ａと対向する面、上面板１０ｄのカバー本体上面板８ｂと対向する面、屋外側下面板１０ｅのＣ型枠材１２の上側片に対向する面にそれぞれ取り付けられている。
【００１６】
叙述の如く構成された本実施の形態において、サッシ枠２にシャッターカーテン１、巻取りドラム５、開閉機５ａ、ケース本体４、ガイドレール６が工場で組込まれたものがカバーユニット７と共に現場に搬送され、該現場において上下取付け金具１１、１４をサッシ枠縦枠２ｄに取付けた後、前述したようにカバーユニット７を傾斜させた状態でカバー本体係止片８ｄをサッシ枠上枠２ａの係止溝２ｂに差し込み、そして縦姿勢にしたカバーユニット７を上下取付け金具１１、１４に取付けることでシャッターケース３の組付けができ、現場作業が大幅に簡略化される。
この場合において、ケース本体４に設けられる左右ブラケット４ａはサッシ枠２の屋外側端に対して略面一状になっていて大きくはみ出すことがないため、搬送の邪魔になることがない。
【００１７】
このように本発明が実施されたものにおいては、左右ブラケット４ａがサッシ枠２から大きくはみ出すことがないため、搬送時の邪魔になることがないものでありながら、後付けするカバーユニット７を構成する鋼製のカバー本体８の左右両側部に鋼製の防火用側板１０が取付けられているため、カバーユニット７の左右両側部を覆蓋するサイドカバー９が樹脂製であって、外観性には優れるが、防火性には劣るものであっても強度アップが図れると共に、防火性が優れたものとなる。
【００１８】
しかもこのものでは、防火用側板１０の正面板１０ａ、上面板１０ｄ、屋外側下面板１０ｅと、カバー本体８の正面板８ａ、上面板８ｂ、下面板８ｃとの対向間に加熱膨張材１５がそれぞれ設けられていて、火災発生時の熱により該加熱膨張材１５が膨張して隙間を塞ぐことになる結果、熱によりサイドカバー９が燃えたり溶けたりして消失しても高い防火性能を維持することができる。
この場合に加熱膨張材１５は、防火用側板１０に集中して設けられているため、加熱膨張材１５の取り付け作業が容易になって作業性が向上する。因みに、加熱膨張材１５は、接着剤、片面粘着テープ等の適宜の接着剤、粘着剤を用いて防火用側板１０に取付けることができる。勿論、加熱膨張材１５は防火用側板１０に集中して設けたものに限定されず、カバー本体側等、適宜部材に設けるようにすることもできる。
尚、防火用側板１０としては、図１１に示す第二の実施の形態のもののように、サッシ枠縦枠２ｄに対向するよう背面板１０ｃが設けられたものとすることができ、このものではさらに背面板１０ｃの縦枠２ｄとの対向面に加熱膨張材１５が設けられたものになっていて、背面板１０ｃと縦枠２ｄとのあいだに隙間がある場合の防火性を確保できるようになっているが、前記第一の実施の形態のようにこの部位の防火性が確保されている場合には背面板１０ｃに加熱膨張材１５を設ける必要はない。
【００１９】
本発明は、さらに図１２、１３に示す第三、第四の実施の形態のようにしても実施することができる。これらのものは、サッシ枠縦枠２ｄに鋼製の補強材１６を躯体Ｘ側に組込み固定して防火性のさらなる向上を図るようにしたものであって、該補強材１６はこれらの実施の形態では断面コ字形をしている。そして第三の実施の形態においては、補強材１６は、一方の脚片１６ａが上側取付け金具１１をサッシ枠縦枠２ｄに固定するためのビス１１ａでサッシ枠縦枠２ｄに固定され、他方の脚片１６ｂがリベット１６ｃにより躯体Ｘ側に固定されている。因みに、他の脚片１６ｂの躯体側への取付け固定手段をリベット１６ｃの代わりに螺子やボルト等を用いて室内外いずれの側から固定するようにしても良い。また、リベットや螺子（ビス）は防火用のためにスチールやステンレスなど鋼製のものが採用される。また第四の実施の形態においては、上側取付け金具１１、補強材１６の両脚片１６ａ、１６ｂを貫通する長螺子１６ｄによりこれら上側取付け金具１１、補強材１６を躯体Ｘ側に固定するようになっている。
また、請求項１乃至３に記載の建築用シャッター装置において、さらに前記固定手法を採用することにより、例えば火災でサッシ枠縦枠２ｄが軟化したような場合でも、鋼製のカバー本体及び防火用側板は躯体Ｘに全て鋼製の部材を介して取り付け保持されることとなるため防火性が向上する。さらにまた、サッシ枠上枠２ａが軟化して、万が一、カバー本体の係止片８ｄが外れたような場合でも、カバー本体が上下方向中央より上の部分で上側取付け金具１１にビス（螺子）で固定されていることで、カバー本体は保持され、防火性が向上する。
また、前記の補強材１６を用いた取付手法を、カバー本体８を正面板８ａの上下及び左右端部を折り曲げて上面板８ｂ、下面板８ｃ及び左右の側面板（防火用側板１０に相当する部位）を一体的に形成した箱曲げ型のカバー本体とした場合にも採用することができる。この場合も、カバー本体が躯体Ｘに全て鋼製の部材を介して取り付け保持されることとなり、防火性向上に好適である。
【産業上の利用可能性】
【００２０】
本発明は、窓等の開口部に建て付けられる建築用シャッター装置として利用することができる。
【符号の説明】
【００２１】
１  シャッターカーテン
２  サッシ枠
３  シャッターケース
４  ケース本体
４ａ  ブラケット
５  巻取りドラム
６  ガイドレール
７  カバーユニット
８  カバー本体
９  サイドカバー
１０  防火用側板
１５  加熱膨張材
【図１】
0006401636.tif 000002
【図２】
0006401636.tif 000003
【図３】
0006401636.tif 000004
【図４】
0006401636.tif 000005
【図５】
0006401636.tif 000006
【図６】
0006401636.tif 000007
【図７】
0006401636.tif 000008
【図８】
0006401636.tif 000009
【図９】
0006401636.tif 000010
【図１０】
0006401636.tif 000011
【図１１】
0006401636.tif 000012
【図１２】
0006401636.tif 000013
【図１３】
0006401636.tif 000014